(57)【要約】 【課題】  電極の歪み応力を吸収して均一な厚さで外観欠点の無い積層密閉型電池を提供する。【解決手段】  正極電極と負極電極とをセパレータを介して積層しフィルム状外装材１２に収納した積層密閉型電池であって、集電体露出部に電池の歪み応力を吸収するためのスリット２３または空孔を形成させる。【選択図】  図１
2010165495.tif 000002
【特許請求の範囲】
【請求項１】
タブ溶接部が引き出された集電体の活物質層形成部に活物質層が形成された正極電極と負極電極を、セパレータを介して積層し、正極タブと負極タブがそれぞれ前記集電体の前記タブ溶接部で溶接された電池要素を、前記正極タブと前記負極タブが外部に引き出されてフィルム状外装材に収納した積層密閉型電池であって、前記集電体の前記タブ溶接部と前記活物質層形成部間の集電体露出部にスリットまたは空孔を形成したことを特徴とする積層密閉型電池。
【請求項２】
前記スリットまたは前記空孔は、正極集電体露出部または負極集電体露出部の少なくとも一方に形成したことを特徴とする請求項１に記載の積層密閉型電池。
【発明の詳細な説明】
【技術分野】
【０００１】
本発明は、フィルム状外装材に電池要素を収納した積層密閉型電池に関するものである。
【背景技術】
【０００２】
近年、電気自動車やハイブリッド自動車の普及に伴って、長時間稼動させるための駆動電源となる非水電解液二次電池の高エネルギー化および高容量化への技術的要求は一段と高まっている。
【０００３】
これらの技術的要求に対応するため、リチウムを吸蔵、放出できる物質を使用した非水電解液二次電池の開発が活発に進められるようになった。この非水電解液二次電池のなかでも、電池要素以外が占める体積を減少させることが、電池の高エネルギー化および小型化に有利であるという技術的観点から、従来から電池外装材として使用されていた鉄やアルミニウム製の金属缶の代わりに、より薄肉化が可能で構造を自由に決定できるフィルム状外装材を使用した積層密閉型電池が注目されている。
【０００４】
上記フィルム状外装材は、電解液や水分およびガスの透過を防止することが可能なアルミニウム箔などの金属膜とナイロン、ポリエチレン、ポリプロピレンなどのプラスチックフィルムとを貼り合わせて積層して構成される。この金属ラミネート樹脂フィルムが電池外装材として使用される場合には、電池要素を収納した状態でフィルム状外装材外周が熱融着により封止される構造が一般的に採用されている。
【０００５】
上記封止構造を採用する場合、フィルム状外装材の形態には大きく分けて２種類に分かれ、一つはフィルム状外装材をそのまま袋状に形成して、その内部に電池要素を収納する形態が採用されている。
【０００６】
他の一つは、フィルム状外装材にエンボス成形加工を施し、そのエンボス成形部分に電池要素を収納する形態である。後者の形態では、収納される電池要素の形状に合致した絞り成形部分を形成しているために、前者の袋状の外装材と比較して電池全体の体積に占める電池要素の割合を大きくすることができ、電池容量を高められるという利点がある。
【０００７】
例えば特許文献１には、電池要素である発電要素から延出している外部端子の電池内部の部分にも絶縁樹脂フィルムが熱融着されており、かつ、その絶縁樹脂フィルムが熱融着されている外部端子部分が絞り成形部の内部空間で発電要素に沿って折り曲げられて、電池容量を増加させたことが開示されている。
【先行技術文献】
【特許文献】
【０００８】
【特許文献１】特開２００５−２２２９０１号公報
【発明の概要】
【発明が解決しようとする課題】
【０００９】
図７は、従来の積層密閉型電池を示す図で、図７（ａ）は積層密閉型電池の斜視図、図７（ｂ）は積層密閉型電池の分解斜視図である。
【００１０】
図７（ｂ）に示すように、負極集電体露出部１４が負極タブ１５と、正極集電体露出部１６が正極タブ１７と接続されており、電池要素１３がフィルム状外装材１２に収納される。図７（ａ）に示すように、集電体を含めた電池要素はフィルム状外装材１２の内部に収納され、負極タブ１５と正極タブ１７が外部に引き出され、フィルム状外装材１２の外周を封止して、積層密閉型電池が作製される。
【００１１】
このように積層密閉型電池の高エネルギー化および高容量化への技術的要求に対応するため、電池要素は体積を増加する傾向にある。しかし積層密閉型電池を厚くすると、電池の充放電を繰り返すことにより電池内部に熱が蓄積される恐れがある。そこで電池内部への熱の蓄積を防止し、かつ高容量化に対応する為、積層密閉型電池の電極面積は拡大する傾向にある。
【００１２】
面積が大きくなるに従って、充電時の正極電極と負極電極の膨張率の相違または、正極電極と負極電極の蓄熱量の相違などにより電極が歪み、集電体がタブ溶接により固定されているため、均一な厚さの積層密閉型電池が得られない恐れがある。また電極の歪みがフィルム状外装材にも電池の歪み１１として認識され、外観欠点となり歩留低下の一因となる恐れがある。これにより均一な厚さを有し、外観欠点の無い構造を持つ積層密閉型電池の提供が求められていた。
【００１３】
フィルム外装材を被覆した積層密閉型電池は製造工程が容易であるが、均一な厚さを有し、外観欠点をなくする技術開発が要求されている。
【００１４】
すなわち、本発明の技術的課題は、電池の歪み応力を吸収して均一な厚さで外観欠点のない積層密閉型電池を提供することにある。
【課題を解決するための手段】
【００１５】
本発明の積層密閉型電池は、タブ溶接部が引き出された集電体の活物質層形成部に活物質層が形成された正極電極と負極電極を、セパレータを介して積層し、正極タブと負極タブがそれぞれ前記集電体の前記タブ溶接部で溶接された電池要素を、前記正極タブと前記負極タブが外部に引き出されてフィルム状外装材に収納した積層密閉型電池であって、前記集電体の前記タブ溶接部と前記活物質層形成部間の集電体露出部にスリットまたは空孔を形成したことを特徴とする。
【００１６】
本発明の積層密閉型電池は、前記スリットまたは前記空孔は、正極集電体露出部または負極集電体露出部の少なくとも一方に形成したことを特徴とする。
【発明の効果】
【００１７】
本発明により、充電時などに発生する電池の歪み応力を吸収して均一な厚さで外観欠点のない積層密閉型電池の提供が可能となった。
【図面の簡単な説明】
【００１８】
【図１】本発明の積層密閉型電池の正面図。
【図２】本発明の積層密閉型電池の斜視図。
【図３】本発明に係る積層密閉型電池の実施の形態を説明する図、図３（ａ）は電池要素に正極タブおよび負極タブを溶接した正面図、図３（ｂ）はスリットが形成された負極集電体露出部の詳細を示した正面図。
【図４】本発明に係る実施例２を説明する図、図４（ａ）は電池要素に正極タブおよび負極タブを溶接した正面図、図４（ｂ）は空孔が形成された負極集電体露出部の詳細を示した正面図。
【図５】本発明に係る実施例３を説明する図、図５（ａ）は電池要素に正極タブおよび負極タブを溶接した正面図、図５（ｂ）はスリットおよび空孔が形成された負極集電体露出部の詳細を示した正面図。
【図６】本発明に係る実施例４を説明する図、図６（ａ）は電池要素に正極タブおよび負極タブを溶接した正面図、図６（ｂ）はスリットが形成された負極集電体露出部の詳細を示した正面図。
【図７】従来の積層密閉型電池を示す図、図７（ａ）は積層密閉型電池の斜視図、図７（ｂ）は積層密閉型電池の分解斜視図。
【発明を実施するための最良の形態】
【００１９】
本発明の実施の形態について図面を参照してより具体的に説明する。
【００２０】
図３は、本発明に係る積層密閉型電池の実施の形態を説明する図で、図３（ａ）は電池要素に正極タブおよび負極タブを溶接した正面図、図３（ｂ）はスリットが形成された負極集電体露出部の詳細を示した正面図である。
【００２１】
負極電極２１と正極電極の間にセパレータ２０を介して所定の数量だけ積層して電池要素を作成する。負極集電体露出部１４の先端部には負極タブ１５が、正極集電体露出部１６の先端部には正極タブ１７が溶接される。
【００２２】
負極集電体露出部１４にはスリット２３が形成されている。同様に正極集電体露出部１６にもスリット２３が形成されている。ただし、集電体露出部とは集電体のタブ溶接部と活物質層形成部間の集電体とする。
【００２３】
負極電極２１は、一辺から引き出された負極集電体露出部１４と四角形の活物質層形成部を有している。正極電極も同様の構成になっており、四角形の活物質層形成部は負極の活物質層形成部とほぼ同じ大きさである。引き出された正極集電体露出部１６の大きさは負極集電体露出部１４とほぼ同じ大きさであって活物質層形成部の同じ辺から引き出されているが、引き出されている位置が負極とは異なっている。
【００２４】
負極電極は、負極集電体上に負極活物質層が形成されたものである。グラファイト粉末からなる負極活物質をＰＶＤＦからなる接着剤とともにスラリー状となるよう調整した調剤を、負極集電体の両面に塗布、乾燥し、ロールプレス機により圧延することで、負極電極が形成される。負極電極の電子の授受を行う負極集電体露出部に、スリットを形成させる。
【００２５】
正極電極は、正極集電体上に正極活物質層が形成されたものである。コバルト酸リチウムからなる正極活物質にＰＶＤＦからなる接着剤とアセチレンブラックからなる導電剤を添加してスラリー状となるように調整した調剤を、正極集電体の両面に塗布、乾燥し、ロールプレス機により圧延することで、正極電極が形成される。正極電極の電子の授受を行う正極集電体露出部に、スリットを形成させる。
【００２６】
負極電極と正極電極の間にはセパレータとしてポリエチレン不織布を介して所定の数量だけ積層して電池要素を作成する。負極タブを電池要素の負極集電体露出部と溶接する。また正極タブを電池要素の正極集電体露出部と溶接する。
【００２７】
図１は、本発明の積層密閉型電池の正面図である。スリット２３が形成された負極集電体露出部の先端部で負極タブ１５と、正極集電体露出部の先端部で正極タブ１７と溶接されている。電池要素と電解液がフィルム状外装材１２に収納されている。フィルム状外装材１２の外周は斜線で示す封止部６１にて封止されている。
【００２８】
フィルム状外装材は、ナイロン／アルミ／ポリプロピレンの３層構造を有しており、電池要素を収納するためフィルム状外装材に絞り加工による収納部をポリプロピレン側が凹状となるように設けた。
【００２９】
タブ溶接済みの電池要素をフィルム状外装材の電池要素収納部に収納し、もう一方のフィルム状外装材で電池要素を覆い、接合部を重ね合わせて熱融着によってフィルム状外装体の外周３辺を封止する。熱融着されていない１辺から電池要素収納部に電解液を注液する。注液後、真空にて熱融着によって封止を行いフィルム状外装材の外周に封止部を有する積層密閉型電池が作製される。
【００３０】
集電体露出部にスリットまたは空孔を設けることで、充電時などに発生する電極の歪み応力を吸収することができる。
【００３１】
スリット深さは集電体露出部の幅の６分の１以上、３分の１以下であるのが好ましい。６分の１未満では電極の歪み応力を吸収できず、３分の１を超えると集電体でタブの保持ができない恐れがあるからである。
【００３２】
スリット幅は集電体露出部の長さの３分の１以下であるのが好ましい。３分の１を超えると集電体でタブの保持ができない恐れがあるからである。ただし、集電体露出部の長さは、集電体のタブ溶接部と活物質層形成部間の長さとする。スリット幅は、０であってもよい。
【００３３】
スリットの数は１つ以上あれば良い。２つ以上ある場合は、スリットのピッチは問わずスリットの大きさは違っていても良く、スリット幅の合計が集電体露出部の長さの３分の１以下であればよい。
【００３４】
空孔は集電体露出部の面積に対する空孔の面積比が３．７％以上、２２．９％以下であるのが好ましい。３．７％未満では電極の歪み応力を吸収できず、２２．９％を超えると集電体でタブの保持ができない恐れがあるからである。
【００３５】
空孔の数は１つ以上あれば良い。２つ以上ある場合は、空孔のピッチは問わず空孔の大きさは違っていても良く、タブ溶接部と活物質層形成部の間の集電体の面積に対する空孔の面積の合計の比が３．７％以上、２２．９％以下であればよい。また、空孔の形状は問わず、円である必要はない。
【００３６】
図２は、本発明の積層密閉型電池の斜視図である。図２は、図１の斜視図を示している。
【００３７】
図２では正極および負極のタブ溶接部が引き出された部分はいずれも四角形の活物質層形成部の同じ辺に配置されているが、異なる２辺に配置されていてもよい。
【実施例】
【００３８】
以下に本発明の実施例を詳述する。
【００３９】
（実施例１）
実施の形態に用いた図３で説明すると、負極活物質層は、厚さ１０μｍの銅箔からなる負極集電体上に負極活物質が形成されたものである。グラファイト粉末からなる負極活物質をＰＶＤＦからなる接着剤とともにスラリー状となるよう調整した調剤を負極集電体上の両面に塗布、乾燥し、ロールプレス機により圧延することで負極電極が形成された。負極電極２１の電子の授受を行う負極集電体露出部１４にスリット２３を形成させた。
【００４０】
正極活物質層は、厚さ２０μｍのアルミニウム箔からなる正極集電体上に正極活物質が形成されたものである。コバルト酸リチウムからなる正極活物質に、ＰＶＤＦからなる接着剤とアセチレンブラックからなる導電剤を添加してスラリー状となるように調整した調剤を正極集電体上の両面に塗布、乾燥し、ロールプレス機により圧延することで正極電極が形成された。正極電極の電子の授受を行う正極集電体露出部１６にスリット２３を形成させた。
【００４１】
正極集電体露出部１６と、負極集電体露出部１４は、いずれも幅と長さが同じであり、負極集電体露出部の幅２５が５０ｍｍであり、負極集電体露出部の長さ３４が１２ｍｍであった。また負極集電体露出部１４と正極集電体露出部１６のスリット２３の形状は同じであった。すなわち、スリットは集電体露出部に左右交互に３ヵ所設け、スリット幅２７は０．２ｍｍであり、スリットピッチ２８は２ｍｍであった。５０ｍｍの負極集電体露出部の幅２５をａとして、スリット深さ２６がａ／６、ａ／４、ａ／３の電極を作製し、それぞれ実施例１−１、１−２、１−３とした。
【００４２】
負極電極２１と正極電極の間にはポリエチレン不織布のセパレータ２０を介して負極を１７層と正極を１６層だけ積層させて電池要素を作製した。負極タブ１５を負極集電体露出部１４の先端部で溶接した。また正極タブ１７を正極集電体露出部１６の先端部で溶接した。フィルム状外装材は、ナイロン／アルミ／ポリプロピレンの３層構造を有し、電池要素を収納するため絞り加工による収納部をポリプロピレン側が凹状となるように設けた。
【００４３】
タブを溶接した電池要素を絞り加工を施したフィルム状外装材の電池要素収納部に収納し、同様に絞り加工を施したフィルム状外装材で電池要素を覆い、重ね合わせて熱融着によってフィルム状外装体の外周３辺を融着した。熱融着されていない１辺より電池要素収納部に電解液を注液した。注液後、真空にて熱融着機によって封止を行いフィルム状外装材で被覆した積層密閉型電池を作製した。なお、スリット深さａ／２の電極を作製したが集電体でタブの保持ができず組立は不可であった。なお、積層密閉型電池の寸法は、縦２００ｍｍ×横２００ｍｍ×厚さ７ｍｍであった。
【００４４】
作製した３個の積層密閉型電池に充電を行い、実際の充電後の電池の厚さと組立後（充電前）の電池の厚さの差を歪みとして、充電後の電池の歪みを測定した。
【００４５】
（比較例１）
集電体露出部にスリットを形成させない以外は実施例１と同様にして積層密閉型電池を作製した。作製した積層密閉型電池に充電を行い、実際の充電後の電池の厚さと組立後（充電前）の電池の厚さの差を歪みとして、充電後の電池の歪みを測定した。
【００４６】
スリット長さ、スリット幅、スリットピッチと充電後の電池の歪みの関係を調査した。その結果を表１に示す。
【００４７】
【表１】
2010165495.tif 000003
【００４８】
比較例１では充電することにより正極電極と負極電極の膨張率の相違または、正極電極と負極電極の蓄熱量の相違などにより電極に歪み応力が発生するが、実施例１−１〜１−３では集電体露出部にスリットがあることで電池の歪み応力を吸収することが可能となり、均一な厚さで外観欠点の無い積層密閉型電池が得られた。
【００４９】
（実施例２）
次に、本発明の実施例２について説明する。図４は、本発明に係る実施例２を説明する図で、図４（ａ）は電池要素に正極タブおよび負極タブを溶接した正面図、図４（ｂ）は空孔が形成された負極集電体露出部の詳細を示した正面図である。基本的な積層密閉型電池の作製方法は実施例１と同じであるが、集電体露出部に空孔３１を形成させたことが異なる。
【００５０】
正極集電体露出部１６と、負極集電体露出部１４は、いずれも幅と長さが同じであり、負極集電体露出部の幅２５が５０ｍｍであり、負極集電体露出部の長さ３４が１２ｍｍであった。また負極集電体露出部１４と正極集電体露出部１６の空孔３１の形状は同じであった。すなわち、幅方向空孔ピッチ３２は１２．５ｍｍ、長さ方向空孔ピッチ３３は４ｍｍであった。空孔３１の数は負極集電体露出部１４、正極集電体露出部１６にそれぞれ７個千鳥に形成させた。空孔径が２、３、４、５ｍｍの電極を作製し、それぞれ実施例２−１、２−２、２−３、２−４とした。なお、空孔径が６ｍｍの電極を作製したが集電体でタブの保持ができず組立は不可であった。
【００５１】
積層密閉型電池を作製し、作製した４個の積層密閉型電池に充電を行い、実際の充電後の電池の厚さと組立後（充電前）の電池の厚さの差を歪みとして、充電後の電池の歪みを測定した。
【００５２】
（比較例２）
空孔径、空孔面積比と充電後の電池の歪みの関係を調査した。ここで空孔面積比とは、集電体露出部の面積に対する７個の空孔面積の合計の比率である。その結果を表２に示す。
【００５３】
【表２】
2010165495.tif 000004
【００５４】
比較例１では充電することにより正極電極と負極電極の膨張率の相違または、正極電極と負極電極の蓄熱量の相違などにより電池に歪み応力が発生するが、実施例２−１〜２−４では集電体露出部に空孔があることで電池の歪み応力を吸収することが可能となり、均一な厚さで外観欠点の無い積層密閉型電池が得られた。
【００５５】
（実施例３）
次に、本発明の実施例３について説明する。図５は、本発明に係る実施例３を説明する図で、図５（ａ）は電池要素に正極タブおよび負極タブを溶接した正面図、図５（ｂ）はスリットおよび空孔が形成された負極集電体露出部の詳細を示した正面図である。基本的な積層密閉型電池の作製方法は実施例１と同じであるが、集電体露出部にスリット２３と空孔３１を形成させたことが異なる。
【００５６】
正極集電体露出部１６と、負極集電体露出部１４は、いずれも幅と長さが同じであり、負極集電体露出部の幅２５が５０ｍｍであり、負極集電体露出部の長さ３４が１２ｍｍであった。また負極集電体露出部１４と正極集電体露出部１６のスリット２３および空孔３１の形状は同じであった。すなわち、集電体露出部にスリットを左右交互に３個設け、そのスリットの先端にそれぞれ空孔を形成した。スリット幅は０であり、スリットピッチ２８は２ｍｍで、空孔径は全て１ｍｍであった。５０ｍｍの負極集電体露出部の幅２５をａとして、スリット深さ２６がａ／６、ａ／４、ａ／３の電極を作製し、それぞれ実施例３−１、３−２、３−３とした。なお、スリット深さａ／２の電極を作製したが集電体でタブの保持ができず組立は不可であった。
【００５７】
積層密閉型電池を作製し、作製した３個の積層密閉型電池に充電を行い、実際の充電後の電池の厚さと組立後（充電前）の電池の厚さの差を歪みとして、充電後の電池の歪みを測定した。
【００５８】
（比較例３）
集電体露出部にスリットを形成させない以外は実施例３と同様にして積層密閉型電池を作製した。作製した積層密閉型電池に充電を行い、実際の充電後の電池の厚さと組立後（充電前）の電池の厚さの差を歪みとして、充電後の電池の歪みを測定した。
【００５９】
スリット長さ、スリットピッチ、空孔径と充電後の電池の歪みの関係を調査した。その結果を表３に示す。
【００６０】
【表３】
2010165495.tif 000005
【００６１】
比較例３では充電することにより正極電極と負極電極の膨張率の相違または、正極電極と負極電極の蓄熱量の相違などにより電池に歪み応力が発生するが、実施例３−１〜３−３では集電体露出部にスリットがあることで電池の歪み応力を吸収することが可能となり、均一な厚さで外観欠点の無い積層密閉型電池が得られた。
【００６２】
なお、比較例３に関して空孔面積比を求めると１．６％であって、３．７％より小さいので電池の歪み応力を吸収するには至らなかった。
【００６３】
（実施例４）
次に、本発明の実施例４について説明する。図６は、本発明に係る実施例４を説明する図で、図６（ａ）は電池要素に正極タブおよび負極タブを溶接した正面図、図６（ｂ）はスリットが形成された負極集電体露出部の詳細を示した正面図である。基本的な積層密閉型電池の作製方法は実施例１と同じであるが、正極タブ１７は負極タブ１５が引き出されている辺の反対の辺に配置していること、スリットの数が４つであること、集電体露出部の左右２ヵ所に２段のスリットが形成されていていること、集電体露出部の幅が７５ｍｍであることが異なる。
【００６４】
正極集電体露出部１６と、負極集電体露出部１４は、いずれも幅と長さが同じであり、負極集電体露出部の幅２５が７５ｍｍ、負極集電体露出部の長さ３４が１２ｍｍであった。負極集電体露出部１４と正極集電体露出部１６のスリット２３の形状は同じであった。すなわち、スリット幅２７は０．２ｍｍであり、スリットピッチ２８は２ｍｍであった。７５ｍｍの負極集電体露出部の幅２５をａとして、スリット深さ２６がａ／６、ａ／４、ａ／３の電極を作製し、それぞれ実施例４−１、４−２、４−３とした。なお、スリット深さａ／２の電極を作製したが集電体でタブの保持ができず組立は不可であった。
【００６５】
積層密閉型電池を作製し、作製した３個の積層密閉型電池に充電を行い、実際の充電後の電池の厚さと組立後（充電前）の電池の厚さの差を歪みとして、充電後の電池の歪みを測定した。
【００６６】
（比較例４）
集電体露出部にスリットを形成させない以外は実施例４と同様にして積層密閉型電池を作製した。作製した積層密閉型電池に充電を行い、実際の電池の厚さと理論上の電池の厚さの差を歪みとして、充電後の電池の歪みを測定した。
【００６７】
スリット長さ、スリット幅、スリットピッチと充電後の電池の歪みの関係を調査した。その結果を表４に示す。
【００６８】
【表４】
2010165495.tif 000006
【００６９】
比較例４では充電することにより正極電極と負極電極の膨張率の相違または、正極電極と負極電極の蓄熱量の相違などにより電池に歪み応力が発生するが、実施例４−１〜４−３では集電体露出部にスリットがあることで電池の歪み応力を吸収することが可能となり、均一な厚さで外観欠点の無い積層密閉型電池が得られた。
【００７０】
実施例の結果を総合して考慮すれば、スリットや空孔を集電体露出部に形成することにより充電時などに発生する電池の歪み応力を吸収することができるので均一な厚さで外観欠点の無い積層密閉型電池を提供することが可能となった。
【００７１】
以上、実施例を用いて、この発明の実施の形態を説明したが、この発明は、これらの実施例に限られるものではなく、この発明の要旨を逸脱しない範囲の設計変更があっても本発明に含まれる。すなわち、当業者であれば、当然なしえるであろう各種変形、修正もまた本発明に含まれる。
【符号の説明】
【００７２】
１１    電池の歪み
１２    フィルム状外装材
１３    電池要素
１４    負極集電体露出部
１５    負極タブ
１６    正極集電体露出部
１７    正極タブ
２０    セパレータ
２１    負極電極
２３    スリット
２４    タブ溶接点
２５    負極集電体露出部の幅
２６    スリット深さ
２７    スリット幅
２８    スリットピッチ
３１    空孔
３２    幅方向空孔ピッチ
３３    長さ方向空孔ピッチ
３４    負極集電体露出部の長さ
６１    封止部
【図１】
2010165495.tif 000007
【図２】
2010165495.tif 000008
【図３】
2010165495.tif 000009
【図４】
2010165495.tif 000010
【図５】
2010165495.tif 000011
【図６】
2010165495.tif 000012
【図７】
2010165495.tif 000013